(57)【要約】【課題】  面格子を窓サッシの室内側に設置することにより、面格子が窓の室外側に突出することがないようにするとともに、窓部の外観の美観を保つことができる開閉式の面格子を提供する。【解決手段】  窓サッシの室内側に設置される開閉式の面格子２０であって、窓サッシの室内側に互いに対向して配置された一対のガイドレール２１、２１と、これらのガイドレール２１、２１の案内溝２３、２３に沿ってその両端部が移動自在に設けられた複数個の格子部材３２と、隣り合う格子部材３２、３２どうしを連結する連結部材と、建築物の開口部Ｋの一辺に沿って設けられ、格子部材３２の全部または一部を収納可能な目隠し部とを備えている。【選択図】      図１１
2005133531.tif 000002
【特許請求の範囲】
【請求項１】
建築物の開口部の窓サッシの室内側に設置される開閉式の面格子であって、
窓サッシの室内側に互いに対向して配置された一対のガイドレールと、
これらのガイドレールの案内溝に沿ってその両端部が移動自在に設けられた複数個の格子部材と、
隣り合う格子部材どうしを連結する連結部材と、
前記建築物の前記開口部の一辺に沿って設けられ、前記格子部材の全部または一部を収納可能な目隠し部と、
を備えていることを特徴とする面格子。
【請求項２】
面格子の閉時に先端の格子部材側から順次格子部材間の間隔が狭まることを特徴とする請求項１に記載の面格子。
【請求項３】
面格子の閉時に格子部材間の間隔が同じように狭まることを特徴とする請求項１に記載の面格子。
【請求項４】
前記目隠し部に面格子の開閉補助機構が設けられていることを特徴とする請求項１ないし請求項３のいずれかに記載の面格子。
【請求項５】
面格子の閉時に前記ガイドレールの前記案内溝の開口部を閉塞する閉塞部材を備えていることを特徴とする請求項１ないし請求項４のいずれかに記載の面格子。
【請求項６】
前記閉塞部材は、面格子の閉動作時に先端の格子部材の移動により該格子部材に押されて回動する回動部材の回動に伴って、前記ガイドレールの前記案内溝側に移動して、該開口部を閉塞することを特徴とする請求項５に記載の面格子。
【発明の詳細な説明】
【技術分野】
【０００１】
本発明は、窓サッシの室内側に設置される開閉式の面格子に関する。
【背景技術】
【０００２】
面格子は、人が室外から室内に侵入するの防止する防犯を目的として設けられるものであって、通常、窓サッシの室外側に設けられる。
この面格子には、面格子が視界を遮って開放感を得られないのを回避すること、あるいは火災時等の非常時に室外に出ることなどのために、面格子を開放することができるようにした開閉式のものがある。このような開閉式の面格子として、従来、例えば、特許文献１に記載のものが知られている。この面格子は、窓開口の室外側に互いに対向して配置された一対のガイドレールと、これらのガイドレールに走行自在に取り付けられた複数の格子部材と、これらの格子部材のうち、隣り合う格子部材どうしを回動自在に連結した連結部材と、ガイドレールの一端に隣接して配置され、ガイドレールから外れた格子部材を折り畳んで収納可能な収納部とを備えている。
【０００３】
【特許文献１】特開平８−１８９２６５号公報
【発明の開示】
【発明が解決しようとする課題】
【０００４】
しかしながら、このような従来の開閉式の面格子にあっては、窓の室外側に設置され、窓から室外側に突出しているので、窓の室外側空間の使用が制限されるとともに、窓部の外観の美観を損ねるという問題がある。また、縦すべり出し窓等で室外側に開く形態の窓には付けられないという問題もある。
また、面格子には防犯上容易に開けることができないことが要求される。
【０００５】
本発明は、前記事情に鑑みて為されたもので、面格子を窓サッシの室内側に設置することにより、面格子が窓の室外側に突出することがないようにするとともに、窓部の外観の美観を保つことができる開閉式の面格子を提供することを目的とする。
また、本発明は、面格子を窓サッシの室内側に設置することにより、面格子が窓の室外側に突出することがないようにするとともに、窓部の外観の美観を保つことができ、かつ室外側から窓サッシを開けられた場合にも、面格子を開けることが困難な開閉式の面格子を提供することを目的とする。
【課題を解決するための手段】
【０００６】
前記目的を達成するために、請求項１に記載の面格子は、建築物の開口部の窓サッシの室内側に設置される開閉式の面格子であって、窓サッシの室内側に互いに対向して配置された一対のガイドレールと、これらのガイドレールの案内溝に沿ってその両端部が移動自在に設けられた複数個の格子部材と、隣り合う格子部材どうしを連結する連結部材と、
前記建築物の前記開口部の一辺に沿って設けられ、前記格子部材の全部または一部を収納可能な目隠し部と、を備えていることを特徴とする。
【０００７】
請求項２に記載の面格子は、請求項１に記載の発明において、面格子の閉時に先端の格子部材側から順次格子部材間の間隔が狭まることを特徴とする。
【０００８】
請求項３に記載の面格子は、請求項１に記載の発明において、面格子の閉時に格子部材間の間隔が同じように狭まることを特徴とする。
【０００９】
請求項４に記載の面格子は、請求項１ないし請求項３のいずれかに記載の発明において、前記目隠し部に面格子の開閉補助機構が設けられていることを特徴とする。
【００１０】
請求項５に記載の面格子は、請求項１ないし請求項４のいずれかに記載の発明において、面格子の閉時に前記ガイドレールの前記案内溝の開口部を閉塞する閉塞部材とを備えていることを特徴とする。
【００１１】
請求項６に記載の面格子は、請求項５に記載の発明において、前記閉塞部材は、面格子の閉動作時に先端の格子部材の移動により該格子部材に押されて回動する回動部材の回動に伴って、前記ガイドレールの前記案内溝側に移動して、該開口部を閉塞することを特徴とする。
【発明の効果】
【００１２】
請求項１に記載の面格子によれば、面格子を窓サッシの室内側に設置したので、面格子が窓の室外側に突出することがないとともに、窓部の外観の美観を保つことができる。
【００１３】
請求項２に記載の面格子によれば、請求項１に記載の発明と同様の効果を得ることができるのは勿論のこと、さらに、構造を簡素にすることができ、安価に製作することができる。
【００１４】
請求項３に記載の面格子によれば、請求項１に記載の発明と同様の効果を得ることができるのは勿論のこと、さらに、荷重が均等になるので、バランス良く開閉することができる。
【００１５】
請求項４に記載の面格子によれば、請求項１ないし請求項３のいずれかに記載の発明と同様の効果を得ることができるのは勿論のこと、さらに、開閉動作を円滑に行うことができる。
【００１６】
請求項５に記載の面格子によれば、請求項１ないし請求項４のいずれかに記載の発明と同様の効果を得ることができるのは勿論のこと、さらに、面格子の閉時にガイドレールの案内溝の開口部を閉塞する閉塞部材を備えているので、ガイドレール内にあるねじや格子部材を移動させる部材などを外したりすることができず、したがって室外側から窓サッシを開けられた場合にも、面格子を開けることが困難で、防犯上有効である。
【００１７】
請求項６に記載の面格子によれば、請求項５に記載の発明と同様の効果を得ることができるのは勿論のこと、面格子を閉にするために、格子部材をガイドレールに沿って目隠し部から離れる方向に移動させると、先端の格子部材が回動部材を押して回動部材を回動させ、この回動部材の回動に伴って、閉塞部材がガイドレールの案内溝側に移動して、この開口部を閉塞するので、閉塞部材の閉塞操作を簡単に行うことができる。
【発明を実施するための最良の形態】
【００１８】
以下、本発明の実施の形態を図面を参照しながら説明する。
図１ないし図１１は、本発明の実施の形態を示す図である。図１および図２は面格子を含む建築物の開口部を示す図であって、図１は縦断面図であり、図２は横断面図である。図３および図４は、面格子の隣接するパイプとこれらを連結するためのワイヤの部分を説明するための図であって、図３はパイプの間が離れた状態を示す正面図であり、図４はパイプの間が接近して密着した状態を示す正面図である。図５および図６は巻き取り部材とパイプとを示す図であって、図５は正面図であり、図６は側面図である。図７および図８は巻き取り部材を示す図であって、図７は正面図であり、図８は分解図である。図９ないし図１１はロック装置および閉塞部材を示す図であって、図９（ａ）はロック装置が作動する直前の状態を示す側面図、図９（ｂ）は平面図であり、図１０（ａ）はロック装置が作動している途中の状態を示す側面図、図１０（ｂ）は平面図であり、図１１（ａ）はロック装置が作動した状態を示す側面図、図１１（ｂ）は図１１（ａ）のＸ−Ｘ線に添う断面図である。
【００１９】
図１および図２において、符号１は、建築物の開口部Ｋの室外側に設置された縦すべり出し窓サッシ（窓サッシ）である。この縦すべり出し窓サッシ１は、上枠２および下枠３および左右の縦枠４、４からなる方形状の枠体５に、縦すべり出しで開閉する障子６が取り付けられて構成されている。上枠２、下枠３および縦枠４はそれぞれ、長尺のアルミニウム合金製の押出形材からなり、ねじ（図示せず）により互いに結合されて、躯体１１に釘１２およびねじ１３により固定されている。枠体５の室内側には、上下方向に開閉する上げ下げ式の網戸７が取り付けられている。
【００２０】
建築物の開口部Ｋには、縦すべり出し窓サッシ１の室内側に、面格子２０が次のようにして設置されている。
すなわち、左右の額縁Ｇに沿って、一対のガイドレール２１、２１が互いに対向して配置され、ねじ２２により躯体に固定されている。各ガイドレール２１、２１の各案内溝２３、２３に案内されて、上下方向に間隔をおいて連設された複数個のパイプ（格子部材）３２が上下方向に移動自在に設けられている。
【００２１】
各パイプ３２の両端部にはそれぞれ、各案内溝２３、２３内に挿入される挿入部３３、３３が設けられている。挿入部３３のパイプ３２側には、室内外方向に窪んでいる首部３４が形成され、案内溝２３の狭く絞られている狭窄部２４に、この首部３４が挿入されており、これにより狭窄部２４によって首部３４が左右方向および室内外方向の移動を規制されつつ、パイプ３２が上下方向に移動するようになっている。
【００２２】
図３および図４に示すように、各パイプ３２の各挿入部３３と隣接する上側の挿入部３３との間、および隣接する下側の挿入部３３との間にはそれぞれ、隣接するパイプ３２を連結するためのワイヤ（連結部材）３６、３６が設けられている。すなわち、各ワイヤ３６は、その上端部が互いに隣接する挿入部３３、３３のうちの上側の挿入部３３に固定されているとともに、下側の挿入部３３に設けられた孔に挿入され、下側の挿入部３３が下降していって、ワイヤ３６の下端部にきたときに、ワイヤ３６の下端部に設けられた拡径の係止部３７に下側の挿入部３３が係止されて、下側の挿入部３３がそれ以上下降しないようになっている。これにより、図３に示すように、下側の挿入部３３と上側の挿入部３３との間の間隔を一定に保持するとともに、図４に示すように、下側の挿入部３３が上側の挿入部３３に接近するときには、ワイヤ３６に規制されることなく自由に下側の挿入部３３が上昇できるようになっている。つまり、隣接するパイプ３２、３２の間の間隔を一定に保持するとともに、ワイヤ３６に規制されることなく自由に下側のパイプ３２が上昇して上側のパイプ３２に接近できるようになっている。
【００２３】
図５に示すように、最も下側のパイプ３２の両端部の挿入部３３Ａ、３３Ａは、その他の挿入部３３よりも外側（パイプ３２と反対側）に長く延びており、その先端部には、このパイプ３２を持ち上げるためのワイヤ４８の一端部（下端部）が固定される取付部３８が設けられている。
【００２４】
図１に示すように、両ガイドレール２１、２１の上部には、ボックス（目隠し部）４１が配置され、上側の躯体に固定されている。このボックス４１内には、パイプ３２を巻き取る円筒状の巻き取り部材４２が回転自在に設けられている。すなわち、図５ないし図８に示すように、ボックス４１の左右の側板の間に、軸４３が左右方向に延びるように固定されており、この軸４３の両端部の外側にそれぞれ、２段筒状の筒部材４４、４４が回転自在に嵌合され、各回転部材４４、４４の各大径部の外側にそれぞれ、円筒状の巻き取り部材４２の各端部が挿入され、ねじにより固定されている。巻き取り部材４２と軸４３との間にはねじりコイルばね（付勢部材）４６が設けられており、このねじりコイルばね４６は、パイプ３２が繰り出された際に弾性変形し、これにより巻き取り部材４２がパイプ３２を巻き取る方向に付勢して、巻き取り部材４２を巻き取り方向に回転させるものである。
【００２５】
各筒部材４４の小径部の外側には、外側に向かって次第に小径となるかさ車４７がねじにより固定されている。各かさ車４７には、パイプ３２を引き上げるためのワイヤ（引き寄せ部材）４８が巻回される溝が螺旋状に形成されている。ワイヤ４８の一端部（上端部）は、かさ車４７の大径側に固定されている一方、前述したように、他端部（下端部）は、最も下側のパイプ３２の取付部３８に固定されており、この最も下側のパイプ３２をワイヤ４８により引き上げることにより、全てのパイプ３２を一緒に引き上げるようになっている。
【００２６】
ボックス４１には、各筒部材４４の外側に、巻き取りガイド５１が固定されており、各巻き取りガイド５１により巻き取り部材４２に巻き取られる各パイプ３２がガイドされて、巻き取り部材４２の外周に整然と巻き取られる。基端のパイプ３２、すなわち一番最初に巻き取られるパイプ３２の首部３４には、ねじりコイルばね（付勢部材）５３の鉤状の一端部が係止されており、このねじりコイルばね５３の他端部はボックス４１に係止されている。このねじりコイルばね５３は、このパイプ３２が巻き取り部材４２に巻き取られた際に弾性変形し、これにより巻き取り部材４２から繰り出されて行く方向にこのパイプ３２を付勢するものであって、パイプ３２の繰り出しを容易にするために設けられている。
【００２７】
面格子２０を閉めるために、先端のパイプ３２、すなわち最も下側のパイプ３２を下降させて行くと、巻き取り部材４２が回転し、各パイプ３２が順次巻き取り部材４２から繰り出される。このとき、隣接する上下のパイプ３２、３２の挿入部３３、３３の間に設けられたワイヤ３６により、隣接する上下のパイプ３２、３２の間の間隔を所定の間隔に広げながら、各パイプ３２が順次巻き取り部材４２から繰り出されて行く。また、パイプ３２を引き上げるためのワイヤ４８がかさ車４７から繰り出される。また、巻き取り部材４２がパイプ３２の繰り出し方向に回転するのに伴って、ねじりコイルばね４６が弾性変形し、巻き取り部材４２がパイプ３２の巻き取り方向に付勢される。
【００２８】
一方、面格子２０が開くとき、すなわちねじりコイルばね４６により巻き取り部材４２がパイプ３２の巻き取り方向に回転すると、ワイヤ４８がかさ車４７に巻き取られて行き、これにより最も下側のパイプ３２が上昇して行く。最も下側のパイプ３２が上昇して行くと、隣接する上下のパイプ３２、３２の挿入部３３、３３の間に設けられたワイヤ３６は、下側のパイプ３２が上昇して上側のパイプ３２に接近するのを規制していないので、最も下側のパイプ３２から順次その上側のパイプ３２に接近して行って、最も下側のパイプ３２の上に下側のパイプ３２から順次重ねられて密着し、各パイプ３２が巻き取り部材４２に巻き取られて行く。
【００２９】
かさ車４７は、外側に向かって次第に小径となるように形成され、ワイヤ４８は大径の部分から次第に小径の部分の溝によって巻き取られるようになっており、最初は巻き取る荷重が小さいので大径の部分を用いて巻き取り量を大きくし、その後次第に荷重が大きくなるので次第に小径の部分で巻き取るようになっている。
【００３０】
次に、この面格子２０のロック装置Ｒを説明する。
図９ないし図１１に示すように、各ガイドレール２１の下端部にはそれぞれ、板状のロック部材（回動部材）６１が設けられている。このロック部材６１は、ガイドレール２１の案内溝２３と直交するガイドレール２１内の壁２５にねじ６２により固定された取付板６３に、ピン６４により回動可能に取り付けられている。ロック部材６１の先端部分には、一対の第２の突出部６５Ａおよび第１の突出部６５Ｂが形成されており、これらの第２の突出部６５Ａと第１の突出部６５Ｂとの間の凹部６６の開口幅は、パイプ３２の外径よりも少し大きく設定されている。
ロック部材６１の下側には、ストッパ６７が取付板６３にピン６８により回動可能に取り付けられている。ストッパ６７の上端部分は山形に形成されている。ストッパ６７とロック部材６１との間には、引っ張りコイルばね（付勢部材）６９が設けられており、この引っ張りコイルばね６９により、ストッパ６７とロック部材６１とは案内溝２３と反対側が互いに接近するように付勢されている。
【００３１】
面格子２０が開いているときには、図９に示すように、ロック部材６１は、引っ張りコイルばね６９により付勢されて、第２の突出部６５Ａ、第１の突出部６５Ｂを上側にして斜めに位置し、下側の第１の突出部６５Ｂが案内溝２３に突き出している。一方、ストッパ６７は、斜め状態で、山形の頂部７１がロック部材６１の後端面の端部に当接している。
面格子２０を閉めるために、最も下側のパイプ３２が下降してくると、ロック部材６１の下側の第１の突出部６５Ｂを押して、引っ張りコイルばね６９の付勢力に抗して、ロック部材６１を案内溝２３側（同図において時計方向）にピン６４を中心に回動させる。このとき、ストッパ６７は、ロック部材６１の回動に伴って、ロック部材６１の後端面により案内溝２３と反対側に回動されて、略起立状態になる（図１０参照）。
面格子２０の全閉時、つまり最も下側のパイプ３２が最も下まで下降したときには、図１１に示すように、ロック部材６１は第２の突出部６５Ａ、第１の突出部６５Ｂを下側にして斜めに位置し、上側の第２の突出部６５Ａが案内溝２３に突き出している。この上側の第２の突出部６５Ａにより、パイプ３２は上側に移動しようとするのを阻止されて、ロック状態になる。このとき、ストッパ６７の山形の頂部７１が、ロック部材６１の側面の凹部７２に係合されて、引っ張りコイルばね６９の付勢力により互いに係合され、これによりロック部材６１がこの状態で動かないようにされる。
【００３２】
図２および図１１に示すように、各ガイドレール２１の各ストッパ６７の近傍にはそれぞれ、鍵７４を用いる係合解除部材７５が取り付けられている。鍵７４を回すことにより、係合解除部材７５の押圧片７６がストッパ６７の下端部の略直角に折り曲げられた折曲部７８を、引っ張りコイルばね６９の付勢力に抗して下方に押すようになっており、これによりストッパ６７の頂部７１がロック部材６１の凹部７２から離れて係合が解除されるとともに、ロック部材６１が引っ張りコイルばね６９の付勢力によりストッパ６７の頂部７１とロック部材６１の凹部７２の係合位置からずれるように回動する。したがって、鍵７４を回すことによりロック部材６１が自由に回動できるようになる。鍵７４を１回回動させれば、上記係合を解除することができるので、鍵７４から手を離すと、ねじりコイルばね（付勢部材）７９により押圧片７６が押圧位置から元の位置に復帰するようになっている。
【００３３】
図９ないし図１１に示すように、ロック部材６１には、板状の閉塞部材８１がピン８２により回動自在に取り付けられている。この閉塞部材８１は、ロック部材６１がピン６４を中心にガイドレール２１の案内溝２３側（時計方向）に回動するにつれて、ピン８２がピン６４を中心に案内溝２３側（時計方向）に徐々に回動し、これにより閉塞部材８１が案内溝２３側に徐々に移動して行き、案内溝２３の開口部を塞ぐようになっている。
【００３４】
ガイドレール２１の上端部には、板状の連動部材８４が設けられている。この連動部材８４はほぼL字状に形成されており、その折曲部は、壁２５の上端部にねじ８５により固定された取付板８６に、ピン８７により回動可能に取り付けられている。連動部材８４の一方の端部には、閉塞部材８１の上端部がピン８８により回動自在に取り付けられ、一方他方の端部には、細長い板状の連結部材９１の上端部がピン９２により回動自在に取り付けられている。連結部材９１の下端部には、ロック部材６１がピン９４により回動自在に取り付けられている。これにより、ロック部材６１がピン６４を中心にガイドレール２１の案内溝２３側（時計方向）に回動すると、連結部材９１を介してこの回動運動が連動部材８４に伝えられて連動部材８４がピン８７を中心に案内溝２３側（時計方向）に回動し、この回動運動に伴って、閉塞部材８１の上端部が案内溝２３側に移動して行き、案内溝２３の開口部を塞ぐ。したがって、閉塞部材８１の下端部がロック部材６１により案内溝側に移動されるとともに、上端部が連動部材８４により移動されて、閉塞部材８１が案内溝２３の開口部全体を閉塞する。
【００３５】
閉塞部材８１の案内溝２３側の側部には、各パイプ３２に対応する位置にそれぞれ、凹部９６が形成されており、閉塞部材８１が案内溝２３を覆った際に、各凹部９６内に各パイプ３２が位置して、閉塞部材８１と各パイプ３２との干渉が回避されるようになっている。
【００３６】
このように構成された面格子２０においては、面格子２０を閉めるために、パイプ３２を巻き取り部材４２から繰り出して下降させて行くと、図９に示すように、最も下側のパイプ３２がロック部材６１の下側の第１の突出部６５Ｂを下側に押して、図１０に示すように、引っ張りコイルばね６９の付勢力に抗して、ロック部材６１をガイドレール２１の案内溝２３側（同図において時計方向）にピン６４を中心に回動させる。このとき、ストッパ６７は、ロック部材６１の回動に伴って、ロック部材６１の後端面により案内溝２３と反対側に回動されて、略起立状態になる。また、ロック部材６１の回動に伴って、ロック部材６１に取り付けられた閉塞部材８１の下端部がピン６４を中心に案内溝２３側に回動すると同時に、連動部材８４に取り付けられた閉塞部材８１の上端部がピン８７を中心に案内溝２３側に回動し、これにより閉塞部材８１が案内溝２３側に移動して行く。
【００３７】
最も下側のパイプ３２が最も下まで下降すると、図１１に示すように、ロック部材６１がさらに回動し、ロック部材６１が第２の突出部６５Ａ、第１の突出部６５Ｂを下側にして斜めに位置し、上側の第２の突出部６５Ａが案内溝２３に突き出した状態になり、この第２の突出部６５Ａにより、パイプ３２は上側に移動しようとするのを阻止されて、ロック状態になる。このとき、ストッパ６７の山形の頂部７１が、ロック部材６１の側面の凹部７２に係合されて、引っ張りコイルばね６９の付勢力により互いに係合され、ロック部材６１がこの状態で動かないようにされる。また、ロック部材６１の回動に伴い、閉塞部材８１が案内溝２３側に移動し、案内溝２３の開口部を閉塞する。
【００３８】
一方、面格子２０を開けるには、まず、鍵７４を回して、係合解除部材７５の押圧片７６でストッパ６７の折曲部７８を、引っ張りコイルばね６９の付勢力に抗して下方に押す。これにより、ストッパ６７の頂部７１がロック部材６１の凹部７２から離れて係合が解除されるとともに、ロック部材６１が引っ張りコイルばね６９の付勢力によりストッパ６７の頂部７１とロック部材６１の凹部７２の係合位置からずれるように回動し、ロック部材６１が自由に回動できるようになる。
【００３９】
ロック部材６１が自由に回動できるようになると、ねじりコイルばね４６により巻き取り部材４２がパイプ３２の巻き取り方向に回転し、ワイヤ４８がかさ車４７に巻き取られて行き、これにより最も下側のパイプ３２が上昇する。この最も下側のパイプ３２が上昇すると、ロック部材６１の上側の第２の突出部６５Ａが上側に押されて、ロック部材６１がガイドレール２１の案内溝２３と反対側（図１１において反時計方向）にピン６４を中心に回動する。このとき、ロック部材６１は、引っ張りコイルばね６９の付勢力によっても回動する力を付与されている。このロック部材６１の回動に伴って、閉塞部材８１ガイドレール２１の案内溝２３から離れるように移動し、案内溝２３の開口部が開放されるとともに、各パイプ３２が自由に上昇できるようになり、各パイプ３２が巻き取り部材４２に巻き取られて行く。
【００４０】
この面格子２０にあっては、面格子２０を窓サッシ１の室内側に設置したので、面格子が窓の室外側に突出することがなく、また窓部の外観の美観を保つことができる。
また、面格子２０の閉時にガイドレール２１の案内溝２３の開口部を閉塞する閉塞部材８１を設けたので、ガイドレール２１内のねじや格子部材３２を移動させる部材などを外したりすることができないため、室外側から窓サッシ１を開けられた場合にも、面格子２０を開けることを防止することができ、防犯上有効である。
【００４１】
また、面格子２０を閉にするために、ボックス４１内の巻き取り部材４２から格子部材３２を繰り出して、格子部材３２をガイドレール２１の案内溝２３に沿って下降させると、先端の格子部材３２がロック部材６１の第１の突出部６５Ｂを下側に押してロック部材を回動させ、このロック部材の回動に伴って、閉塞部材７１がガイドレール２１の案内溝２３側に移動して、案内溝の開口部を閉塞するので、閉塞部材８１の閉塞操作を簡単に行うことができる。
【００４２】
なお、本発明は、前述した実施形態に限定されず、その要旨を逸脱しない範囲で種々変形して実施できることは言うまでもない。たとえば、前述の実施の形態では、隣接するパイプ（格子部材）３２を連結するための連結部材としてワイヤ３６、３６を用いたが、これに代えて、図１２に示すように、帯状のプレート（連結部材）３６ａを用いて、隣接する格子部材３２どうしをそれぞれ連結するようにしてもよい。すなわち、格子部材３２の端部の挿入部３３ａには、上下方向に貫通するスリットが設けられており、このスリットにプレート３６ａが挿入されている。プレート３６ａの下端部には、突起状の係止部３６ｂが設けられており、プレート３６ａが下降するとこの係止部３６ｂに挿入部３３ａが引っ掛かるようになっている。プレート３６ａの下端は、外側に斜めに折り曲げられて、傾斜部３６ｃが設けられている。また、プレート３６ａの上端部は、隣接する上側の格子部材３２の挿入部３３ａに固定されている。
【００４３】
これにより、下側の挿入部３３ａと上側の挿入部３３ａとの間の間隔を一定に保持するとともに、下側の挿入部３３ａが上側の挿入部３３ａに接近するときには、プレート３６ａに規制されることなく自由に下側の挿入部３３ａが上昇できるようになっている。つまり、隣接する格子部材３２、３２の間の間隔を一定に保持するとともに、プレート３６ａに規制されることなく自由に下側の格子部材３２が上昇して上側の格子部材３２に接近できるようになっている。傾斜部３６ｃが設けられているので、挿入部３３ａが上昇するときに、挿入部３３ａの端部がプレート３６ａに当っても、プレート３６ａが外側に逃げるため、挿入部３３ａの上昇運動が阻害されない。
【００４４】
また、連結部材として、図１３に示すように、パンタグラフ式のリンク機構３６ｆを用いて、隣接する格子部材３２どうしをそれぞれ連結するようにしてもよい。このようにリンクを用いて格子部材３２を連結した場合には、隣接する格子部材３２の間隔がどの箇所でも同じように連動し動くので、同じ間隔で狭くなったり、広くなったりする。また、リンク機構を用いた面格子の場合には、格子部材３２を巻き取るのではなく、格子部材３２の移動方向の間隔を極力接近させて、建築物の開口部の一辺に沿って設けられた目隠し部に、格子部材３２の一部を収納するようにする。このようにすると、格子部材３２の移動時の負荷が変わらないのでバランスよく移動させることができる。
【００４５】
また、前述の実施の形態では、格子部材３２を引き上げるための引き寄せ部材（移動手段）としてワイヤ４８を用いたが、これに代えて、図１４に示すように、ボールねじ４８ａを用いてもよい。すなわち、格子部材３２の端部にナット部（スライダ）４８ｂ接続し、ねじ軸４８ｃ回転させて、ねじ軸４８上をナット部４８ｂが移動するようにしてもよい。
【００４６】
また、図１５に示すように、格子部材３２の引き寄せ部材として、巻き取るなどの手段により移動する鋼材等からなる帯状のプレート４８ｆを設け、このプレート４８ｆに設けたガイド部４８ｇに、格子部材の下側に設けられた格子部材または巾木３２ａの端部を取り付け、これをガイド溝４８ｈに沿って移動させるようにしてもよい。
【００４７】
また、格子部材を移動させる手段として、格子部材の端部にピニオンを固定し、このピニオンをラックで移動させるようにしてもよいし、あるいはベルトの所定箇所に格子部材を連結し、ベルトをプーリの回転で移動させるようにしてもよいし、あるいはチェーンの所定箇所に格子部材を連結し、チェーンをスプロケットの回転で移動させるようにしてもよい。
【００４８】
また、前述の実施の形態では、巻き取り部材４２の巻き取りを補助する補助機構として、巻き取り部材４２と軸４３との間にねじりコイルばね（付勢部材）４６を設けたが、これに代えて、ぜんまいばね、あるいは定荷重ばねなどを用いてもよい。定荷重ばねを用いると、荷重をストロークによらずほぼ一定とすることができる。この定荷重ばねを２個用いるようにしてもよい。
【００４９】
また、面格子２０の閉時に格子部材３２の目隠し部４１側への移動を阻止するロック装置Ｒと閉塞部材８１との連動機構として、たとえば、図１６ないし図１８に示すような構成にすることもできる。なお、図１６ないし図１８において、図９ないし図１１と同一構成要素には同一符号を付してその説明を省略または簡略化する。
【００５０】
図１６ないし図１８に示すように、ロック部材６１、ストッパ６７、鍵７４を用いる係合解除部材７５、閉塞部材８１等の構成は、図９ないし図１１示す構成と同じである。そして、本例では、ロック部材６１と細長い板状の連動部材１０１とが、操作用のリンク片１０２により連結されている。連動部材１０１は、ガイドレール２１に設けられた上下方向に延びるガイド部１０３に、上下移動可能に挿入されている。
【００５１】
この連動部材１０１と閉塞部材８１とは、上下２箇所においてそれぞれリンク片１０４、１０４により連結されている。この閉塞部材８１には、上下２箇所において水平に延びるガイド溝１０５、１０５が形成され、各ガイド溝１０５内にガイドレール２１側に設けられたピン１０６が挿入されており、これにより閉塞部材８１は水平移動するようになっている。
【００５２】
したがって、ロック部材６１がピン６４を中心にガイドレール２１の案内溝２３側（時計方向）に回動するにつれて、この回動運動がリンク片１０２により連動部材１０１に伝えられ、連動部材１０１が上方に直線移動する。この連動部材１０１の上方への直線移動がリンク片１０４、１０４により閉塞部材８１に伝えられ、閉塞部材８１が案内溝側に水平移動して行き、案内溝２３の開口部を塞ぐ。
【００５３】
一方、面格子２０が開くときに、ロック部材６１がガイドレール２１の案内溝２３と反対側（図１８において反時計方向）にピン６４を中心に回動すると、この回動運動がリンク片１０２により連動部材１０１に伝えられ、連動部材１０１が下方に直線移動する。この連動部材１０１の下方への直線移動がリンク片１０４、１０４により閉塞部材８１に伝えられ、閉塞部材８１がガイドレール２１の案内溝２３と反対側に水平移動して行き、案内溝２３の開口部が開放され、各パイプ３２が自由に上昇できるようになり、各パイプ３２が巻き取り部材４２に巻き取られて行く。
【００５４】
なお、図１９および図２０に示すように、連動部材１０１にＰＯＭ（ジュラコン）等の合成樹脂からなるガイド１０８（本例では上下２個）を取り付け、このガイド１０８がガイドレール２１のガイド部１０３に摺動し、連動部材１０１が円滑に上下移動するようになっている。このようにすると、連動部材１０１がガイド部１０３で引っ掛かり、連動部材１０３がねじれてしまうのを防止することができるとともに、連動部材１０１およびガイド部１０３の摩耗を低減することができる。
【００５５】
前述の実施の形態では、面格子２０の閉時に格子部材３２の目隠し部４１側への移動を阻止するロック装置Ｒを格子部材３２の下降に伴って自動的に行い、さらにロック装置Ｒの格子部材３２の移動阻止動作と閉塞部材８１の閉塞動作とを連動させるようにしたが、これを手動で行うようにしてもよい。すなわち、たとえば、図２１および図２２に示すように、鍵７４により回動する操作用のリンク片１１１に上下移動可能な連動部材１０１の一端部を連結し、この連動部材１１１と閉塞部材８１とを、上下２箇所においてそれぞれＬ字板状のリンク片１１４、１１４により連結し、これにより格子部材３２を下降させた後に、手動で鍵７４を回して、閉塞部材８１をガイドレール２１の案内溝２３側に移動させ、案内溝２３の開口部を塞ぐとともに、閉塞部材８１の凹部９６で格子部材３２の移動を阻止するようにしてもよい。
【００５６】
さらには、面格子２０の閉時に格子部材３２の目隠し部４１側への移動を阻止するロック装置として、たとえば、ロック部材６１を鍵を用いて手動で回動させて、格子部材を拘束するように構成してもよい。また、図２３に示すように、格子部材３２の下側の最下位置に設けた横木（横部材）１１６にロック部材６１を設け、これを鍵を用いて手動で回動させて、係止するようにしてもよい。また、横部材１１６に、たとえば、シリンダとリンク機構を組み合わせるなどの連動機構を設けて、左右のロック部材６１、６１を連動して操作するようにすると、１個の鍵で左右のロック部材の操作を行うことができ、面格子の閉操作の手間を省くことができる。
【００５７】
図２４に示すように、パイプ（格子部材）３２の両端部にそれぞれ設けられる挿入部３３ｈを、大径の頭部３３ｉとこの頭部３３ｉより細い首部３３ｊとこの首部３３ｊの先端部に円形に拡大された固定部３３ｋとを備えた構成とし、頭部３３ｉをガイドレール２１側に配置する一方、首部３３ｊをパイプ３２の端部に挿入し、固定部３３ｋおよびパイプ３２を貫通するねじにより、挿入部３３ｈをパイプ３２に取り付けている。このように、パイプ３２に挿入される首部３３ｊの外径寸法を細くし、パイプ３２の内径との間に隙間を設けるようにしたので、パイプ３２が挿入部３３ｈに対して大きくα度傾くまで、首部３３ｊの先端部がパイプ３２の内面に当接しない。したがって、パイプ３２を動かして、挿入部３３ｈから取り外そうとして、パイプ３２を挿入部３３ｈに対して少し傾けても、首部３３ｊの先端部がパイプ３２の内面に当接しないので、パイプ３２が破損してしまうのを回避することができ、防犯対策に効果がある。なお、挿入部３３ｈは亜鉛ダイカストなどからなり、パイプ３２のステンレス鋼管などからなる。パイプ３２内にはアルミニウムなどからなる棒材１２１が挿入され、これにより容易に切断できないようにして防犯効果が高められている。
【００５８】
図２５ないし図２８は、軸４３の両端部の外側にそれぞれ回転自在に嵌合され、かつ巻き取り部材４２が固定されている筒部材１２３、１２３とかさ車４７、４７との連結構造の例を示す図である。
図２５に示すように、ねじりコイルばね（付勢部材）４６は、巻き取り部材４２の巻き取りを補助する補助機構として設けられている。すなわち、ねじりコイルばね４６は、一方の筒部材１２３と、ボックス４１の左右の側板の間に固定された軸４３との間に設けられており、格子部材３２が繰り出された際に弾性変形し、これにより巻き取り部材４２がパイプ３２を巻き取る方向に付勢して、巻き取り部材４２を巻き取り方向に回転させるものである。
【００５９】
このばね４６は使用を重ねると弾性力が弱くなってくるため、巻き数を調整する必要が生じる場合がある。このとき、ワイヤ４８が巻き取られているかさ車４７を、巻き取り部材４２と一緒に回転しないように分離する必要があるが、筒部材４４にかさ車４７がねじなどにより固定されていると、ねじを取り外すのは容易でなく、ばね４６の巻き数の調整作業が容易でない。
【００６０】
しかし、図２５ないし図２８に示す例のように、筒部材１２３の外周部に、歯車状の嵌合突部１２４、１２４と溝部１２５、１２５が交互に形成された挿入部１２６を設ける一方、かさ車４７の軸部１３１の内周部に、歯車状の嵌合凹部１３２、１３２と溝部１３３、１３３が交互に形成し、かさ車４７の軸部１３１から筒部材１２３の挿入部１２５を軸方向に少し移動させることにより、かさ車４７に対して筒部材１２３を回転自在とすることができる。すなわち、図２７に示すように、かさ車４７の軸部１３１に筒部材１２３の挿入部１２５を挿入した状態では、嵌合凹部１３２、１３２にそれぞれ嵌合突部１２４、１２４が嵌合し、これにより筒部材１２３とかさ車４７とが一緒に回転する。一方、図２８に示すように、かさ車４７の軸部１３１から筒部材１２３の挿入部１２５を少し抜き出した状態では、筒部材１２３の先端側の嵌合凸部１２４がかさ車４７の溝部１３３の箇所に位置するとともに、根元側の嵌合凸部１２４が軸部１３１の外側に位置し、これによりかさ車４７に対して筒部材１２３が回転自在となる。また、かさ車４７の軸部１３１に筒部材１２３の挿入部１２５を図２７の状態よりも押し込んだ状態では、筒部材１２３の嵌合凸部１２４、１２４がそれぞれかさ車４７の溝部１３３、１３３の箇所に位置し、これによりかさ車４７に対して筒部材１２３が回転自在となる。
【００６１】
したがって、図２５において、巻き取り部材４２を介して連結されている両側の筒部材１２３、１２３を、少し左側に移動させると、各かさ車４７、４７に対して各筒部材１２３、１２３がそれぞれ回転自在とすることができ、この状態で一体となっている巻き取り部材４２および両筒部材１２３、１２３を回転させて、ばね４６の巻き数の調整作業を行うことができる。なお、図２５に示すように、右側の筒部材１２３と、ばね４６を軸４３に固定しているねじ１３５との間には、この筒部材１２３を左側に移動させることができるように、隙間（遊び）ｔが設けられている。
このように、巻き取り部材４２が取り付けられる筒部材１２３とかさ車４７との連結を、筒部材の軸方向の移動動作により嵌合状態および解除状態になる連結部により行うようにすると、巻き取り部材４２の巻き取りを補助する巻き取り補助機構（開閉補助機構）としてのばね（付勢部材）４６の弾性力の調整を容易に行うことができる。
【００６２】
また、図２９に示すように、両側のかさ車４７、４７の各先端面１３７、１３７をそれぞれ、ボックス４１の内面４１ａに当接させるようにすれば、図２５に示すような左右の位置決めのための座金１３８および割りピン１３９が不要となる。
【００６３】
図３０は、バールでガイドレール２１がこじ開けられるのを防止するための実施の形態を示す図であって、ガイドレール部の横断面図である。
ガイドレール２１の室外側でかつ木製の額縁Ｇ側の隅には、額縁Ｇとガイドレールとの隙間を塞ぐある横断面形状がＬ形のアングル１４１が設けられている。このアングル１４１は、アルミニウム合金などからなるもので、ガイドレール２１に沿って延びており、ねじ１４２により額縁Ｇに固定されている。このようにアングル１４１を設置すると、額縁Ｇとガイドレール２１との間にバールなどを差し込むことができないので、ガイドレール２１がこじ開けられるのを防止することができる。
【００６４】
図３１および図３２は、額縁Ｇの凹凸に基づく隙間を防止するための隙間塞ぎ材に関する実施の形態を示す図であって、ガイドレール部の横断面図である。
図３１では、額縁Ｇの凹凸による隙間を塞ぐために、額縁Ｇとガイドレール２１との間に１枚の板状の隙間塞ぎ材１４３が取り付けられ、図３２では、２枚の隙間塞ぎ材１４３が重ねて取り付けられている。これらの隙間塞ぎ材１４３は、ガイドレール２１を躯体に固定するためのねじ２２で共締めされている。図３３に示すように、隙間塞ぎ材１４３は、ＡＥＳ樹脂などの合成樹脂からなるもので、２つの隙間塞ぎ材が線対称に一端部を連結された状態に製造される。隙間塞ぎ材１４３、１４３の連結部は薄く形成され、容易に分離できるようになっている。また、先端部には傾斜が付けられており、挿入し易くなっている。このように製造された隙間塞ぎ材１４３は、図３１のように１枚使用するときには、連結部を分離して１枚にし、図３２のように２枚重ねて使用するときには、連結部を折り曲げて重ねるか、あるいは分離してから重ねる。
このように、隙間塞ぎ材を分離可能に連結した状態で形成すると、保管、運搬等の手間を低減することができる。また、重ねて使用する際には折り曲げて使用すればよいので、取り付け時の作業効率を高めることができる。
【００６５】
図３４は、光が透過するのを防止する隙間塞ぎ材に関する実施の形態を示す図であって、ガイドレール部の横断面図である。
ガイドレール２１の額縁Ｇ側の面の室外側及び室内側の端部にはそれぞれ、塩化ビニル樹脂等の合成樹脂あるいはゴムなどからなる隙間塞ぎ材１４５、１４５が設けられている。隙間塞ぎ材１４５は、ガイドレール２１に沿って延びており、ガイドレール１２と額縁Ｇとの間で潰されている。この隙間塞ぎ材１４５を設けることにより、モヘアを用いた場合よりも光の透過を遮ることができるとともに、見栄えを高めることができる。
【００６６】
図３５および図３６は、ガイドレール２１の下部に設ける下部キャップに関する実施の形態を示す図であって、図３５は建築物の開口部の縦断面図、図３６は要部の横断面図である。
下部キャップ１４７は、合成樹脂等からなる横断面形状が「コ」字状の部材であり、ガイドレールの下部の外側に嵌めこまれて取り付けられている。下部キャップ１４７は、ガイドレール２１の横側の額縁Ｇに接している面以外の３つの面を覆っており、その下端は下側の額縁Ｇに当接されている。
この下部キャップ１４７をガイドレール２１の下部に装着することにより、躯体のゆがみなどによりガイドレール２１の下端と下側の額縁Ｇとの間に隙間が生じても、この隙間を隠すことができ、良好な外観を維持することができる。さらには、ガイドレール２１の長さを予め少し短く設定しておいて、このガイドレール２１を開口部Ｋに取り付け、その後下部の隙間を下部キャップ１４７で覆うようにしてもよい。
【００６７】
図３５に示すように、ボックス（目隠し部）４１は、上側の額縁Ｇにねじ１５１により取り付けられた平板状の取付部材１５２に取り付けられる。この取付部材１５２を上側の額縁Ｇに取り付けるには、図３７および図３８に示すように、取付部材１５２にダルマ形の取付穴１５３を設けると、取付作業がし易くなる。すなわち、ねじ１５１を所定位置にねじ込み、完全には締め込まないでおき、その後取付穴１５３のうちのねじ１５１の頭部よりも大径の丸穴の部分をねじ１５１の頭部に合わせて、頭部を通過させ、その後取付部材１５２を水平に移動させ、取付穴１５３のうちのねじ穴本来の大きさの丸穴の部分にねじ１５１が位置するようにし、その後ねじ１５１を完全に締め込む。このようにすると、作業者が１人でも取付部材１５１の取付作業を簡単に行うことができる。
【００６８】
また、上側の額縁Ｇに水平に取り付けられた取付部材１５２に対して、ボックス４１を奥行きの寸法を正確に合わせて取り付けるには、図３９に示すように、厚紙などからなるＬ字板状の位置出し部材１５４を用いると良い。すなわち、上側の額縁Ｇに取り付けられた取付部材１５２に、位置出し部材１５４の水平部１５５を当て、水平部１５５に形成した長穴１５６のねじ１５１に合わせるとともに、垂直部１５７を横側の額縁Ｇの内面に合わせ、垂直部１５７に形成した穴１５８に印を付ける。このように、Ｌ字状の位置出し部材１５４を用いて、ボックス４１の取付位置の位置出しを行うと、簡単に正確な位置だしを行うことができ、したがってボックス４１を所定の奥行き位置に設置することができるので、格子部材を正確にボックス４１に収納することができる。
【００６９】
また、図４０ないし図４２に示すように、一方のガイドレール（縦枠）を垂直に設置した後に、他方のガイドレール２１を垂直に設置するには、ボックス４１の点検用カバー１６１と、厚紙などからなる平板状の位置出し部材１６２を用いると良い。すなわち、点検用カバーの巾は左右のガイドレール２１間の寸法に対応するので、点検用カバー１６１に位置出し部材１６２をねじ１６３により固定し、この位置出し部材１６２の横方向寸法にガイドレール２１を合わせて、ガイドレール２１を額縁に固定するようにすればよい。
【００７０】
また、前述の実施の形態では、面格子２０を建築物の開口部Ｋ内に設置するようにしたが、図４３および図４４に示すように、面格子２０を室内の壁面に設置するようにしてもよい。このようにすると、開口部Ｋを狭めることがない利点がある。
【００７１】
また、前述の実施の形態では、目隠し部４１に格子部材３２を完全に収納するようにしたが、必ずしも格子部材３２の全部を収納する必要はなく、格子部材の一部を収納するものでもよい。また、目隠し部４１は箱状に形成されている必要がなく、格子部材が隠れるものであればよい。
【００７２】
また、前述の実施の形態では、格子部材３２を上下方向に移動させるようにしたが、これに限らず、横方向に移動させるようにしてもよい。さらには、開口部が斜めに形成されている場合には、この開口部の一辺に沿って目隠し部を設け、その目隠し部に向かって移動させるようにしてもよい。
【００７３】
また、格子部材の目隠し部への収納方法は、巻き取り部材に格子部材を巻き取るようにしてもよいし、あるいは各格子部材が順次密着されて収納するものでもよいし、あるいは折り畳んで収納するものでもよいし、その方法は問わない。また、目隠し部は、ガイドレールの一端に隣接して設けるようにしてもよいし、あるいはガイドレールの一端部分を目隠し部として用いるようにしてもよい。また、連結部材は、隣り合う格子部材どうしを接近可能に連結するものでもよいし、あるいは単に連結するものでもよい。
【図面の簡単な説明】
【００７４】
【図１】本発明の実施の形態に係る面格子を含む建築物の開口部を示す図であって、縦断面図である。
【図２】同、横断面図である。
【図３】面格子の隣接するパイプとこれらを連結するためのワイヤの部分を説明するための図であって、パイプの間が離れた状態を示す正面図である。
【図４】同、パイプの間が接近して密着した状態を示す正面図である。
【図５】巻き取り部材とパイプとを示す図であって、正面図である。
【図６】同、側面図である。
【図７】巻き取り部材を示す図であって、正面図である。
【図８】同、分解図である。
【図９】ロック装置および閉塞部材を示す図であって、（ａ）はロック装置が作動する直前の状態を示す側面図であり、（ｂ）は平面図である。
【図１０】同、（ａ）はロック装置が作動している途中の状態を示す側面図であり、（ｂ）は平面図である。
【図１１】同、（ａ）はロック装置が作動した状態を示す側面図であり、（ｂ）は（ａ）のＸ−Ｘ線に添う断面図である。
【図１２】連結部材としてのプレートを示す斜視図である。
【図１３】連結部材としてのリンク機構を示す図であって、（ａ）は伸ばした状態を示す図、（ｂ）は縮めた状態を示す図である。
【図１４】格子部材の引き寄せ部材としてのボールねじを示す斜視図である。
【図１５】格子部材の引き寄せ部材としてのプレート示す斜視図である。
【図１６】ロック装置と閉塞部材との連動機構の例を示す図であって、（ａ）はロック装置が作動する直前の状態を示す側面図であり、（ｂ）は平面図である。
【図１７】同、（ａ）はロック装置が作動している途中の状態を示す側面図であり、（ｂ）は平面図である。
【図１８】同、（ａ）はロック装置が作動した状態を示す側面図であり、（ｂ）は平面図である。
【図１９】連動部材にガイドを取り付けた例を示す図であって、側面図である。
【図２０】同、平面図である。
【図２１】閉塞部材を手動で操作する例を示す図であって、ガイドレールの案内溝を開放している状態の側面図である。
【図２２】同、ガイドレールの案内溝を閉塞している状態の側面図である。
【図２３】ロック部材を手動で操作する例を示す斜視図である。
【図２４】パイプと挿入部とを示す横断面図である。
【図２５】巻き取り部材の部分を示す正面図である。
【図２６】（ａ）はかさ車と筒部材とを分離して示す正面図であり、（ｂ）は（ａ）のＡ−Ａ線に沿う断面図であり、（ｃ）は（ａ）のＢ−Ｂ線に沿う断面図である。
【図２７】（ａ）はかさ車の軸部に筒部材の挿入部を挿入した状態を示す正面図であり、（ｂ）は（ａ）のＣ−Ｃ線に沿う断面図である。
【図２８】（ａ）はかさ車の軸部から筒部材の挿入部を少し抜き出した状態を示す正面図であり、（ｂ）は（ａ）のＤ−Ｄ線に沿う断面図であり、（ｃ）は（ａ）のＥ−Ｅ線に沿う断面図である。
【図２９】巻き取り部材の部分を示す正面図である。
【図３０】バールでガイドレールがこじ開けられるのを防止するための実施の形態を示す図であって、ガイドレール部の横断面図である。
【図３１】額縁の凹凸に基づく隙間を防止するための隙間塞ぎ材に関する実施の形態を示す図であって、ガイドレール部の横断面図である。
【図３２】同、隙間塞ぎ材を２枚使用する場合のガイドレール部の横断面図である。
【図３３】製造された状態の隙間塞ぎ材を示す図であって、（ａ）は平面図、（ｂ）は正面図である。の製造
【図３４】光が透過するのを防止する隙間塞ぎ材に関する実施の形態を示す図であって、ガイドレール部の横断面図である。
【図３５】ガイドレール２１の下部に設ける下部キャップに関する実施の形態を示す図であって、建築物の開口部の縦断面図である。
【図３６】同、要部の横断面図である。
【図３７】ボックスの取付部材の取付方法を説明するための図であって、建築物の開口部を示す縦断面図である。
【図３８】同、横断面図である。
【図３９】ボックス取付時の位置出し方法を説明するための図であって、斜視図である。
【図４０】ガイドレールの位置出し方法を説明するための図であって、正面図である。
【図４１】図４０のＹ矢視図である。
【図４２】図４０のＺ矢視図である。
【図４３】面格子を室内側の壁面に設置した実施の形態を示す図であって、建築物の開口部を示す縦断面図である。
【図４４】同、横断面図である。
【符号の説明】
【００７５】
Ｋ      建築物の開口部
１      縦すべり出し窓サッシ（窓サッシ）
２０    面格子
２１    ガイドレール
２３    案内溝
３２    パイプ（格子部材）
３６    ワイヤ（連結部材）
３６ａ  プレート（連結部材）
３６ｆ  リンク機構（連結部材）
４１    ボックス（目隠し部）
６１    ロック部材（回動部材）
８１    閉塞部材
【図１】
2005133531.tif 000003
【図２】
2005133531.tif 000004
【図３】
2005133531.tif 000005
【図４】
2005133531.tif 000006
【図５】
2005133531.tif 000007
【図６】
2005133531.tif 000008
【図７】
2005133531.tif 000009
【図８】
2005133531.tif 000010
【図９】
2005133531.tif 000011
【図１０】
2005133531.tif 000012
【図１１】
2005133531.tif 000013
【図１２】
2005133531.tif 000014
【図１３】
2005133531.tif 000015
【図１４】
2005133531.tif 000016
【図１５】
2005133531.tif 000017
【図１６】
2005133531.tif 000018
【図１７】
2005133531.tif 000019
【図１８】
2005133531.tif 000020
【図１９】
2005133531.tif 000021
【図２０】
2005133531.tif 000022
【図２１】
2005133531.tif 000023
【図２２】
2005133531.tif 000024
【図２３】
2005133531.tif 000025
【図２４】
2005133531.tif 000026
【図２５】
2005133531.tif 000027
【図２６】
2005133531.tif 000028
【図２７】
2005133531.tif 000029
【図２８】
2005133531.tif 000030
【図２９】
2005133531.tif 000031
【図３０】
2005133531.tif 000032
【図３１】
2005133531.tif 000033
【図３２】
2005133531.tif 000034
【図３３】
2005133531.tif 000035
【図３４】
2005133531.tif 000036
【図３５】
2005133531.tif 000037
【図３６】
2005133531.tif 000038
【図３７】
2005133531.tif 000039
【図３８】
2005133531.tif 000040
【図３９】
2005133531.tif 000041
【図４０】
2005133531.tif 000042
【図４１】
2005133531.tif 000043
【図４２】
2005133531.tif 000044
【図４３】
2005133531.tif 000045
【図４４】
2005133531.tif 000046